(57)【特許請求の範囲】
【請求項１】
下記の要件を備えたことを特徴とする変形ロボット玩具
（イ）ロボットの形態からハサミの形態に可逆的に変化可能なロボット玩具であること。
（ロ）ロボット玩具は、ロボット玩具本体とロボット玩具本体に取り付けられるハサミ部材とから構成されていること。
（ハ）ロボット玩具本体は、胴体部と一対の脚部材と一対の腕部材とから構成されていること。
（ニ）胴体部は左右に分割可能な一対の胴体部材から構成されており、各胴体部材にはそれぞれ前記脚部材および腕部材が可動自在に取り付けられていること。
（ホ）前記脚部材の先端部と腕部材の先端部は着脱自在に結合可能となっており、結合することで環状体を形成するようになっていること。
（ヘ）ハサミ部材を構成する一対の刃は、各柄部において、前記分割された左右各胴体部材の上部にそれぞれ設けられた取付部材を介して取り付けられていること。
【発明の詳細な説明】
【０００１】
【発明の属する技術分野】
本発明は、ロボットの形態からハサミの形態に可逆的に変化可能なロボット玩具の構造に関するものである。
【０００２】
【従来の技術】
従来、形態が変化する種々のロボット玩具が知られているが、ロボット玩具とハサミとの間で可逆的に形態の変化するものは存在していなかった。
【０００３】
【発明が解決しようとする課題】
本発明は、上記の点に鑑み発明されたものであって、ロボット玩具とハサミとの間で可逆的に形態変化が可能な新規な玩具の構造を提供することをその目的とする。
【０００４】
【課題を解決するための手段】
上記課題を解決するために、本発明の変形ロボット玩具は以下に示す構成を備えていることを特徴とする。すなわち、
（イ）ロボットの形態からハサミの形態に可逆的に変化可能なロボット玩具であること。
（ロ）ロボット玩具は、ロボット玩具本体とロボット玩具本体に取り付けられるハサミ部材とから構成されていること。
（ハ）ロボット玩具本体は、胴体部と一対の脚部材と一対の腕部材とから構成されていること。
（ニ）胴体部は左右に分割可能な一対の胴体部材から構成されており、各胴体部材にはそれぞれ前記脚部材および腕部材が可動自在に取り付けられていること。
（ホ）前記脚部材の先端部と腕部材の先端部は着脱自在に結合可能となっており、結合することで環状体を形成するようになっていること。
（ヘ）ハサミ部材を構成する一対の刃は、各柄部において、前記分割された左右各胴体部材の上部にそれぞれ設けられた取付部材を介して取り付けられていること。
【０００５】
【発明の実施の形態】
まず、簡単に図面について説明する。図１は本発明のロボット玩具を表す斜視図であり、ロボットの状態を表したものである。図２は本発明のロボット玩具がハサミの形態に変化した状態を表したものである。図３乃至図５はロボットの形態からハサミの形態に変化する過程を表した説明図である。
【０００６】
以下本発明の一実施の形態を図を用いて説明する。
図１において、１は本願発明のロボット玩具を示しており、ロボット玩具１はロボット玩具本体３を有しており、ロボット玩具本体３にはハサミ部材５が取り付けられている。
ロボット玩具本体３について説明する。ロボット玩具本体３は、大まかに胴体部７と胴体部７の下部に取り付けられた一対の脚部材９（９ａ，９ｂ）と、胴体部７上部の左右各側面に取り付けられた一対の腕部材１１（１１ａ，１１ｂ）とから構成されている。
【０００７】
胴体部７は、左右に分割可能な一対の胴体部材１３（１３ａ，１３ｂ）によって構成されており、各胴体部材１３ａ，１３ｂは互いに接合可能であり、接合することによって胴体部７を構成している。胴体部７に対する脚部材９および腕部材１１の取付について図５を用いてもう少し詳しく説明する。
すなわち、胴体部材１３ａの上部側面（右肩部）には腕部材１１ａの端部が軸部材１５ａによって回動可能に取り付けられており、同様に胴体部材１３ｂの上部側面（左肩部）には腕部材１１ｂの端部が軸部材１５ｂによって回動可能に取り付けられている。
また、胴体部材１３ａの下部（右脚部）には脚部材９ａの端部がボールジョイント１７ａによって回動可能に取り付けられており、同様に胴体部材１３ｂの下部（左脚部）には脚部材９ｂの端部がボールジョイント１７ｂによって回動可能に取り付けられている。
【０００８】
各腕部材１１ａ、１１ｂの先端部には、係合孔１９（１９ａ，１９ｂ）が設けられており、後述する脚部材９に設けた突起２１（２１ａ，２１ｂ）と結合可能となっている。
【０００９】
各脚部材９ａ，９ｂは、それぞれ上脚部材２３ａ，２３ｂおよび下脚部材２５ａ，２５ｂとから構成されている。上脚部材２３ａ，２３ｂと下脚部材２５ａ，２５ｂは互いに回動可能となるように軸２７ａ，２７ｂによって固定されている。また、上脚部材２３ａ，２３ｂの他端には前述のボールジョイント１７ａ，１７ｂが設けられている。また、各下脚部材２５ａ，２５ｂの下端部分はロボット玩具１が自立しやすいように床面との接地部分の面積が大きくなるように形成されており、同各下端部分にはそれぞれ突起２１ａ，２１ｂが形成されている。
【００１０】
次に、ハサミ部材５の取付について説明する。
まず、ハサミ部材５の構造について説明する。図５を用いて説明すると、ハサミ部材５は、一対の刃部材３１（３１ａ、３１ｂ）と、回動軸３３を挟んで刃部材３１と反対側の位置となる柄部３５（３５ａ、３５ｂ）によって構成されている。
また、柄部３５（３５ａ、３５ｂ）の端部には取付部材３７（３７ａ、３７ｂ）がそれぞれ設けられており、取付部材３７は胴体部７の上方部分かつ背面側に設けられた支持部材２９（２９ａ，２９ｂ）と連結ピンで３９（３９ａ，３９ｂ）によって互いに回動可能となるように結合されている。
【００１１】
図３に支持部材２９に対してハサミ部材５を回動させる前の状態（ハサミ部材５を折り畳んだ状態）、図４に支持部材２９に対してハサミ部材５を回動させた後の状態（ハサミ部材５を展開させた状態）を示す。
ハサミ部材５の柄部３５には、突起４１を有した突出部４３が設けられており、ハサミ部材５を回動させた図４の状態において、胴体部７の背面に設けられている突起４５と前記ハサミ部材５の突起４１が係合するように形成されている。これら突起４１と突起４５の作用によって、ハサミ部材５の位置決めが可能となっている。すなわち、展開したハサミ部材が不用意に折り畳まれないようになっている。
また、ハサミ部材５の刃部材３１先端には、ハサミの未使用時あるいはロボット玩具として遊ぶ際に不用意に刃部材３１を開かないように、および先端部によって怪我をすることが無いように、キャップ４７が取り付けられるようになっている。
【００１２】
ハサミとしてロボット玩具１を使用する場合には、さらに図２に示すように手の指を差し込むための環状部４９（４９ａ，４９ｂ）を形成することが可能となっている。当該環状部４９は、前述した腕部材１１の先端に設けた係合孔１９と下脚部材２５に設けた突起２１を係合させることによって、形成することができるようになっている。当該係合孔１９と突起２１の結合は、脚部材９を任意に変形させて行うようになっている。
【００１３】
以上の構成によって、本発明のロボット玩具１はロボットとしての形態とハサミとしての形態に可逆的に変化可能となっている。
ロボットとしての形態の時には、ハサミ部材５は折り畳まれるようにロボット玩具本体３の背面に位置しているので邪魔となることがない。
また、この状態の時には、ハサミ部材５に対して刃部材３１が開く方向に何らかの力が作用しても刃部材３１は開かないようになっている。つまり、刃部材３１の回動軸３３がロボット玩具本体１の背中部分に位置しており、刃部材３１を開かせようとした力が作用した場合、胴体部材３１ａ、３１ｂに対しても同様に回動軸３３と同じ位置を中心に回動させようとする力が働く。この場合、胴体部材３１ａ、３１ｂの接合部分上のどこかが回転中心となり回動しようとするが、既に胴体部材３１ａ、３１ｂは当接しているのでそれ以上回動することができない。従って、刃部材３１に対して開く方向に力が作用しても胴体部材３１ａ、３１ｂが回動できないので刃部材３１は開くことがないようになっている。
【００１４】
しかし、ロボット玩具１がハサミの形態を成している場合、つまり折り畳まれるようにロボット玩具本体３の背面に位置していたハサミ部材５を図２、図４に示すように展開した状態では、刃部材３１を回動させハサミとして使用することができる。この場合、ロボット玩具本体１を形成する各胴体部材１３，脚部材９、腕部材１１がハサミとしての把持部５０を形成するようになっており、この把持部５０を操作することによってハサミとして使用することができるようになっている。
なお、ハサミ部材５を図２、図４に示すように展開した状態では、回動したハサミ部材５を位置決めする手段（突起４１、突起４５）が設けられているので、簡単にハサミ部材５が連結ピン３９を軸に折り畳まれる方向に回動しないようになっている。
【００１５】
【発明の効果】
以上説明した、本願発明の変形ロボット玩具は以下に述べる効果を有している。すなわち、本願発明の変形ロボット玩具は、ロボット玩具とハサミとの間で可逆的形態に変形することができ、従来存在していなかった変形ロボット玩具の構造を提供することができるという効果を有している。
また、ハサミ部材を折り畳んでロボット玩具として遊んでいるときには、構造上不用意に刃部材が開くことが無く、安全に遊ぶことができるという効果を有している。
【図面の簡単な説明】
【図１】本発明の一実施の形態であるロボット玩具の、ロボットの状態を示す斜視図である。
【図２】本発明の一実施の形態であるロボット玩具の、ハサミの状態を示す斜視図である。
【図３】本発明の一実施の形態であるロボット玩具の、ロボットからハサミへの変化の課程を説明するための側面図である。
【図４】本発明の一実施の形態であるロボット玩具の、ロボットからハサミへの変化の課程を説明するための側面図である。
【図５】本発明の一実施の形態であるロボット玩具の、ロボットからハサミへの変化の課程を説明するための斜視図である。
【符号の説明】
１  ロボット玩具
３  ロボット玩具本体
５  ハサミ部材
７  胴体部
９  脚部材
１１  腕部材
１３  胴体部材
１５  軸部材
１７  ボールジョイント
１９  係合孔
２１  突起
２３  上脚部材
２５  下脚部材
２７  軸
２９  支持部材
３１  刃部材
３３  回動軸
３５  柄部
３７  取付部材
３９  連結ピン
４１  突起
４３  突出部
４５  突起
４７  キャップ
４９  環状部
５０  把持部
【図１】
0004242015.tif 000002
【図２】
0004242015.tif 000003
【図３】
0004242015.tif 000004
【図４】
0004242015.tif 000005
【図５】
0004242015.tif 000006